(57)【要約】【課題】外観を悪化させることなく表示プレートを抜けないようにする。【解決手段】表示プレート２０を出し入れするためのプレート用開口３ａを正面側キャビネット３に形成し、このプレート用開口３ａの内側に表示プレート２０をスライド可能に収容するホルダー部９を設ける。表示プレート２０の基端側にプレート用開口３ａ側から表示プレート２０が抜け出すのを阻止する断面コ字状のストッパ部２５を設ける。ホルダー部９における表示プレート２０の挿入側又は筐体のプレート用開口３ａの周縁にストッパ部２５の断面コ字状部分に嵌まり込む抜け止め部２３を形成する。【選択図】図１
2015133566.tif 000002
【特許請求の範囲】
【請求項１】
収納可能な表示プレートを有する携帯端末において、
上記表示プレートを出し入れするためのプレート用開口を有する筐体と、
上記プレート用開口の内側に設けられ、上記表示プレートをスライド可能に収容するホルダー部とを備え、
上記表示プレートの基端側には、上記プレート用開口側から該表示プレートが抜け出すのを阻止する断面コ字状のストッパ部が設けられ、
上記ホルダー部における上記表示プレートの挿入側又は上記筐体の上記プレート用開口の周縁には、上記ストッパ部の断面コ字状部分に嵌まり込む抜け止め部が形成されている
ことを特徴とする携帯端末。
【請求項２】
請求項１に記載の携帯端末において、
上記ホルダー部の上記表示プレートの収容部周縁には、上記ストッパ部から該表示プレートの幅方向外側へ延長した延長部が摺接するように構成されている
ことを特徴とする携帯端末。
【請求項３】
請求項１又は２に記載の携帯端末において、
上記ホルダー部は、カード用コネクタに隣接して設けられ、該カード用コネクタに出し入れされるカードは、上記プレート用開口を通って出し入れされるように構成されている
ことを特徴とする携帯端末。
【発明の詳細な説明】
【技術分野】
【０００１】
本発明は、識別番号が表示された表示プレートを有する携帯端末に関するものである。
【背景技術】
【０００２】
ＩＭＥＩ（International Mobile Equipment Identifier）は、国際移動体装置識別番号（端末識別番号）を意味し、携帯電話機やデータ通信カードが１台ずつ持っている識別番号であり、原則として、各携帯端末はそれぞれ異なる番号を有する。この識別番号は、通常１５桁の数字からなっており、装置を製造したメーカーと機種を示す番号、生産国、固体に割り振られたシリアル番号、ＩＭＥＩが正しい内容であることを検証するためのチェックデジットが含まれている。
【０００３】
近年のスマートフォンなどでは、充電池の出し入れができなくなって電池蓋が無くなったものが増えてきている。従来は、この電池蓋に隠れる場所に標記されていたＩＭＥＩ、製造番号等の重要情報を外観を損ねることなく標記する必要が生じている。そこで、筐体内のいずれかに設けたプレートに上記重要情報を記載されることが知られている。
【０００４】
ところで、特許文献１のように、コイン型電池を機器筐体外部から着脱可能に収納するものが知られている。このプレートは、収納時には係合によるロック機構により本体に固定され、着脱時にはクリック感を伴うようになっている。
【先行技術文献】
【特許文献】
【０００５】
【特許文献１】特開２００７−１２４４７号公報
【発明の概要】
【発明が解決しようとする課題】
【０００６】
ＩＭＥＩ、製造番号等の重要情報は、携帯端末固有のものであり、その管理の信頼性を確保するためには、容易に取り出したり、交換できたりしないようにする必要がある。
【０００７】
しかし、上記特許文献１のようにクリック感を伴うロック爪であると、爪の撓みによって取付はしやすくなるが、逆に引き抜きに対する強度も低くなり、引き抜きを防止することができないという問題がある。
【０００８】
本発明は、かかる点に鑑みてなされたものであり、その目的とするところは、外観を悪化させることなく表示プレートを抜けないようにすることにある。
【課題を解決するための手段】
【０００９】
上記の目的を達成するために、この発明では、表示プレートに設けた断面コ字状のストッパ部を抜け止めする抜け止め部をホルダー部に設けた。
【００１０】
具体的には、本発明では、収納可能な表示プレートを有する携帯端末を前提とし、この携帯端末は、
上記表示プレートを出し入れするためのプレート用開口を有する筐体と、
上記プレート用開口の内側に設けられ、上記表示プレートをスライド可能に収容するホルダー部とを備え、
上記表示プレートの基端側には、上記プレート用開口側から該表示プレートが抜け出すのを阻止する断面コ字状のストッパ部が設けられ、
上記ホルダー部における上記表示プレートの挿入側又は上記筐体の上記プレート用開口の周縁には、上記ストッパ部の断面コ字状部分に嵌まり込む抜け止め部が形成されている。
【００１１】
上記の構成によると、表示プレートを引き出して抜き出そうとしてもストッパ部のコ字状断面部分が抜け止め部に嵌まり込むので、ストッパ部又は抜け止め部を破損させない限り、抜き出すことができない。一度無理矢理抜き出してしまうと、いずれかが損傷するので、表示プレートを抜き出したことが判明し、製造番号を記載したプレートの混在を避けることができ、製造番号による端末管理の信頼性を確保することができる。また、ストッパ部や抜け止め部は、プレート用開口の内側に設けているので、外観が悪化しない。ここで、ホルダー部は、筐体に一体に形成されていてもよいし、筐体とは別体で設けられていてもよい。また「断面コ字状」とは、日本語のカタカナのコの形状に類似した形状を意味し、厳密にカタカナのコの形状である必要はない。
【発明の効果】
【００１２】
以上説明したように、本発明によれば、表示プレートの基端側に断面コ字状のストッパ部を設け、表示プレートを抜き出そうとしたときにホルダー部に設けた抜け止め部に嵌まり込むようにしたことにより、外観を悪化させることなく、表示プレートが抜け出すのを確実に防止することができる。
【図面の簡単な説明】
【００１３】
【図１】（ａ）は、（ｂ）のIa−Ia線拡大断面図であり、（ｂ）は、プレート用開口及びその周辺を示す拡大斜視図である。
【図２】本発明の実施形態に係る携帯電話機を示す分解斜視図である。
【図３】表示プレートを最後まで引き出したときのサブ基板を示し、（ａ）が背面図で、（ｂ）が正面図である。
【図４】表示プレートを最後まで引き出したときのサブ基板を示し、（ａ）が背面図で、（ｂ）が（ａ）のIVb−IVb線拡大断面図である。
【図５】（ａ）が図３（ａ）のVa−Va線拡大断面図であり、（ｂ）が図３（ａ）のVb−Vb線拡大断面図である。
【図６】本発明の実施形態の変形例に係るサブ基板を示し、（ａ）が背面図で、（ｂ）が（ａ）のVIb−VIb線拡大断面図である。
【図７】比較例に係る図１（ａ）相当図である。
【発明を実施するための形態】
【００１４】
以下、本発明の実施形態を図面に基づいて説明する。
【００１５】
図２は本発明の実施形態の携帯端末としての携帯電話機１（スマートフォン）の分解斜視図を示し、この携帯電話機１は、例えばタッチパネルを含む液晶表示部２を収容する、正面側キャビネット３と、この正面側キャビネット３の背面側を覆う背面側キャビネット４とを備え、その背面がリアカバー５で覆われている。これら正面側キャビネット３と背面側キャビネット４との間の収容空間に充電池６とメイン基板７とが収容されている。正面側キャビネット３、背面側キャビネット４及びリアカバー５が携帯電話機１の筐体を構成している。なお、背面側キャビネット４がリアカバー５と一体である場合のように、リアカバー５はなくてもよい。
【００１６】
メイン基板７の上側には、このメイン基板７に電気的に接続されるサブ基板８が設けられている。このサブ基板８は、板状のプリント基板をベースにフレキシブル基板等が接続され、プリント基板部分が、例えば樹脂成形品よりなるホルダー部９に嵌合されて正面側キャビネット３に固定されている。樹脂成形品であれば、複雑な形状でも成形が容易である。
【００１７】
図１及び図３に示すように、例えば、サブ基板８には、ＳＩＭカード１１及びＳＤカード（登録商標）１２を装着できるようになっている。サブ基板８の正面側には、ＳＤカード１２を出し入れ可能なカード用コネクタ１０が取り付けられている。ＳＩＭカード１１は、このカード用コネクタ１０の反対側に専用のトレイごと出し入れ可能となっている。
【００１８】
図１（ｂ）に例えば左右に長いコネクタカバー１５（図２にのみ示す）を外した状態を示すように、正面側キャビネット３の上端に開口した例えば長円形状のプレート用開口３ａからＳＩＭカード１１及びＳＤカード１２のいずれも出し入れ可能となっている。背面側キャビネット４及びリアカバー５の上側には、それぞれ切欠４ａ，５ａが形成され、この切欠４ａ，５ａからプレート用開口３ａが露出するようになっている。切欠４ａ，５ａは、プレート用開口３ａを含めてコネクタカバー１５によって塞がれて防水及び防塵されている。
【００１９】
そして、ＳＩＭカード１１側のホルダー部９に例えば樹脂成形品よりなる表示プレート２０が挿入されている。図３（ａ）にも示すように、表示プレート２０には、ＩＭＥＩ、製造番号等の重要情報が記載されたラベル２１が貼り付けられている。なお、ラベル２１を貼り付けるのではなく、印刷、刻印等によって表示プレート２０の表面に直接に重要情報を記載するようにしてもよい。表示プレート２０の上端には、爪を掛けて引き出すための長円形状の爪掛け用孔部２２が形成されている。
【００２０】
表示プレート２０は、ホルダー部９に設けた平行な一対の側壁９ａ内を携帯電話機１の上下にスライドさせて出し入れ可能に構成されている。一対の側壁９ａの間隔は、表示プレート２０の幅よりも若干広くなっており、一対の側壁９ａの上端（プレート用開口３ａ側）には、左右方向に向かい合うように抜け止め部２３が突設されている。
【００２１】
一方、表示プレート２０の基端（下端）側には、携帯電話機１の厚さ方向へ（背面側へ）膨出部２４が膨出している。この膨出部２４は、プレート用開口３ａ側から表示プレート２０が抜け出すのを阻止すると共に、プレート用開口３ａ側からホルダー部９へ表示プレート２０を挿入するのを阻止するような厚さまで膨出していてもよい。そのように構成すれば、表示プレート２０をプレート用開口３ａ側から挿入しようとすると、膨出部２４が邪魔をしてホルダー部９の側壁９ａ間に挿入することができない。なお、膨出部２４は、成形上の理由等により、一部凹陥されている。このため、内部側から側壁９ａ間に表示プレート２０をスライドさせて挿入することになる。そして、通常は組立時にのみ表示プレート２０を挿入することになるのが望ましい。
【００２２】
図５（ａ）に拡大して示すように、表示プレート２０の基端における膨出部２４の左右外側には、断面コ字状のストッパ部２５が一体に形成されている。このストッパ部２５は、表示プレート２０を上方に引き抜こうとすると、断面コ字状の部分に抜け止め部２３が嵌まり込んで抜き出すのを防止する。なお「断面コ字状」とは、日本語のカタカナのコの形状に類似した形状を意味し、厳密にカタカナのコの形状である必要はない。
【００２３】
そして、図４に拡大して示すように、ホルダー部９の一方の側壁９ａの周縁には、一方のストッパ部２５から表示プレート２０の幅方向外側へ延長した延長部２５ａが摺接するように構成されている。この延長部２５ａにより、表示プレート２０を携帯電話機１の正面側へ押し付けて（引っ張って）取り出すことができないようにしている。
【００２４】
そして、携帯電話機１に収納された表示プレート２０の内容を確認するときには、まず、携帯電話機１上方のコネクタカバー１５を開いてプレート用開口３ａを露出させる。次いで、指掛け用孔部２２に爪を掛けて表示プレート２０を引き出してラベル２１の内容を確認する。このとき、表示プレート２０を引っ張っても、ストッパ部２５のコ字状断面部分が抜け止め部２３に嵌まり込むので、ストッパ部２５又は抜け止め部２３を破損させない限り、抜き出すことができない。
【００２５】
例えば、図７に比較例を示すように、単に膨出部２４のみを設けた場合には、表示プレート２０を最も引き出した状態で液晶表示部２側へ押し付けると、プレート用開口３ａから表示プレート２０を抜き出すことができる。一方で、本実施形態のようにコ字状断面のストッパ部２５が抜け止め部２３を包み込むように嵌まり込んでいると、図７に示すようには表示プレート２０を抜き出すことはできない。
【００２６】
なお、無理矢理引き出そうとして表示プレート２０を強く引っ張ると、ストッパ部２５又は抜け止め部２３が変形する。一方、いったん表示プレート２０を取り外すと、膨出部２４があるので、再びプレート用開口３ａから表示プレート２０を挿入することができない。このように一度無理矢理抜き出してしまうと、いずれかが損傷するので、表示プレート２０を抜き出したことが判明し、製造番号を記載したプレートの混在を避けることができ、製造番号による端末管理の信頼性を確保することができる。
【００２７】
そして、ラベル２１の確認後は、再び側壁９ａ間をスライドさせるように押し込む。
【００２８】
また、表示プレート２０は、カード用コネクタ１０に隣接して設けられ、カード用コネクタ１０と共通のコネクタカバー１５で覆われるので、省スペース及び部品点数の減少を図ることができる。
【００２９】
また、ストッパ部２５や抜け止め部２３は、プレート用開口３ａの内側に設けているので、外観が悪化しない。
【００３０】
したがって、本実施形態に係る携帯電話機１によると、外観を悪化させることなく、表示プレート２０が抜け出すのを確実に防止することができる。
【００３１】
−変形例−
図６は本発明の実施形態の変形例を示し、表示プレート２０の形状が異なる点で上記実施形態と異なる。なお、本変形例では、図１〜図５と同じ部分については同じ符号を付してその詳細な説明は省略する。
【００３２】
すなわち、図６に示すように、本変形例では、延長部２５ａが左右両方に設けられている。このようにすれば、左右（幅）方向のねじりも規制するので、更に確実に表示プレート２０の厚さ方向による抜き出しを防止することができる。
【００３３】
（その他の実施形態）
本発明は、上記実施形態について、以下のような構成としてもよい。
【００３４】
すなわち、上記実施形態では、ホルダー部９における表示プレート２０の挿入側に抜け止め部２３を設けたが、正面側キャビネット３（筐体）のプレート用開口３ａの周縁に抜け止め部２３を形成してもよい。
【００３５】
また、上記実施形態では、ホルダー部９を正面側キャビネット３とは別に形成してサブ基板８を取り付け後、正面側キャビネット３に固定するようにしているが、正面側キャビネット３に一体に形成してもよい。
【００３６】
また、上記実施形態では、プレート用開口３ａは、正面側キャビネット３側に設けたが、背面側キャビネット４側に設けてもよい。
【００３７】
上記実施形態では、表示プレート２０にＩＭＥＩ、製造番号等の重要情報を表示したが、それに限定されず製品の取扱注意事項など他の事項を表示するようにしてもよい。
【００３８】
上記実施形態では、電子機器は、携帯電話機１としたが、タブレット端末、ＰＨＳ（Personal Handy-phone System ）、ＰＤＡ(Personal DigitalAssistant)、パソコン、モバイルツール、電子辞書、電卓、ゲーム機等であってもよく、携帯型液晶ディスプレイ、携帯型液晶テレビ、ブルーレイ（ＤＶＤ）レコーダ等であってもよい。
【００３９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４０】
１      携帯電話機（携帯端末）
２      液晶表示部
３      正面側キャビネット（筐体）
３ａ    プレート用開口
４      背面側キャビネット
４ａ，５ａ    切欠
５      リアカバー
６      充電池
７      メイン基板
８      サブ基板
９      ホルダー部
９ａ    側壁
１０      カード用コネクタ
１１      ＳＩＭカード
１２      ＳＤカード
１５      コネクタカバー
２０      表示プレート
２１      ラベル
２２      爪掛け用孔部
２３      抜け止め部
２４      膨出部
２５      ストッパ部
２５ａ    延長部
【図１】
2015133566.tif 000003
【図２】
2015133566.tif 000004
【図３】
2015133566.tif 000005
【図４】
2015133566.tif 000006
【図５】
2015133566.tif 000007
【図６】
2015133566.tif 000008
【図７】
2015133566.tif 000009